(57)【要約】【課題】横置き前排気方式の自動車用内燃機関に使用するオイルパンにおいて、オイルパンを含むパワープラントの剛性を向上させる。【解決手段】抉り部１１を形成したことにより、オイルパン１の底部８は、抉り部１１の箇所に位置した浅底部８ａと、その手前に位置した深底部８ｂとが構成されている。後ろ壁７には後ろ向きに開口した凹所１８が左右に広がるように形成されており、凹所１８の前面を構成する前板２０の下半部は後傾姿勢の傾斜部２０ｂになっている。底部８の浅底部８ａに、バッフルプレート２１を載置固定するためのリアボス体２２が、前板２０の傾斜部２０ｂと一体化した状態で形成されている。浅底部８ａと前板２０との一体性が高まることにより、オイルパン１全体としての剛性が向上し、結果として、シリンダブロック２及びミッションケース６を含むパワープラントの剛性も向上する。【選択図】図３
2020153264.tif 000002
【特許請求の範囲】
【請求項１】
車両前部に設けたエンジンルームに、クランク軸心を車幅方向に長い姿勢と成して排気側面を車両前進方向に向けた姿勢で配置される内燃機関に使用されるオイルパンであって、
上面にシリンダブロックが固定される左右の側壁と、タイミングチェーンを覆うフロントカバーの側に位置した前壁と、ミッションケースが固定される後ろ壁とを有していて、底部のうち前記後ろ壁と連続した部位には排気管が通る抉り部を形成しており、このため、前記底部は、前記後ろ壁と連続した抉り部の箇所では浅底部になってそれより前側の部位は深底部になっている構成において、
前記後ろ壁には、後ろ向きに開口した凹所が、前記左右の側壁の側に広がるように形成されており、前記凹所の前部を構成する前板の前側に、バッフルプレートを固定するためのボス体が、前記浅底部から立ち上がると共に前記前板と一体に繋がった状態に形成されている、
自動車用内燃機関のオイルパン。
【請求項２】
前記側壁に、クランク軸心方向に長い段状又はリブ状の補強が、その後端が前記ボス体と連続する状態で形成されている、
請求項１に記載した自動車用内燃機関のオイルパン。
【発明の詳細な説明】
【技術分野】
【０００１】
本願発明は、自動車用内燃機関のオイルパンに関するものである。
【背景技術】
【０００２】
内燃機関において、シリンダブロックの下面にはオイルパンがボルトで固定されていると共に、シリンダブロックの後面とオイルパンの後面とに跨がった状態でミッションケースが固定されており、全体としてパワープラントが構成されている。また、タイミングチェーンを覆うフロントカバーの下部がオイルパンの前面に固定されていることも多く、この場合は、フロントカバーもパワープラントの一環を成している。
【０００３】
パワープラントにおいて重要なことは、全体の剛性を高めることである。この点について、特許文献１には、オイルパンの剛性向上手段として、オイルパンの後面に、囲い枠で構成された左右一対の凹所と、囲い枠に繋がったリブとを形成することが開示されている。
【先行技術文献】
【特許文献】
【０００４】
【特許文献１】特開昭６２−２４７１５８号公報
【発明の概要】
【発明が解決しようとする課題】
【０００５】
さて、自動車用内燃機関を車体のエンジンルームに搭載する場合、クランク軸心を車幅方向に向けた横置きタイプと、クランク軸心を車体前後方向に向けた縦置きタイプとに大別され、更に、横置きタイプでは、排気側面を車体前方に向けた前排気方式と、排気側面を車体後方に向けた後ろ排気方式とがあり、前排気方式では、走行風を利用して機関本体や排気系部材を冷却できる等の点がある。
【０００６】
そして、排気管の終端は車体の後部に位置しているため、横置き前排気方式の内燃機関では、排気管はオイルパンの下方を潜らせて後ろに引き出している。そこで、特許文献１にも開示されているように、オイルパンの下面に抉り部を形成して、この抉り部の箇所に排気管を通している。
【０００７】
しかして、オイルパンに抉り部を形成すると、オイルパンの底部は、抉り部の箇所では浅底部になって他の部分は深底部になるが、浅底部の端部にミッションケースが固定されるため、オイルパンの剛性（特に、上下方向から作用する曲げ力に対する剛性）が低下し、結果としてパワープラントの剛性が低下するという問題があった。
【０００８】
そして、特許文献１について検討すると、後ろ壁に凹所やリブを形成すると剛性のアップに貢献はできるが、後ろ壁自体の強度の向上に過ぎないため、剛性アップの程度には限度があると云える。
【０００９】
本願発明はこのように現状を契機として成されたものであり、パワープラントの剛性アップに貢献できるオイルパンを、簡単な構造で実現しようとするものである。
【課題を解決するための手段】
【００１０】
本願発明は、車両前部に設けたエンジンルームに、クランク軸心を車幅方向に長い姿勢と成して排気側面を車両前進方向に向けた姿勢で配置される内燃機関に使用されるオイルパンに関するもので、このオイルパンは、
「上面にシリンダブロックが固定される左右の側壁と、タイミングチェーンを覆うフロントカバーの側に位置した前壁と、ミッションケースが固定される後ろ壁とを有していて、底部のうち前記後ろ壁と連続した部位には排気管が通る抉り部を形成しており、このため、前記底部は、前記後ろ壁と連続した抉り部の箇所では浅底部になってそれより前側の部位は深底部になっている」
という基本構成になっている。
【００１１】
そして、請求項１の発明は、上記基本構成において、
「前記後ろ壁には、後ろ向きに開口した凹所が、前記左右の側壁の側に広がるように形成されており、前記凹所の前部を構成する前板の前側に、バッフルプレートを固定するためのボス体が、前記浅底部から立ち上がると共に前記前板と一体に繋がった状態に形成されている」
という特徴を有している。
【００１２】
この場合、凹所は、全体に亙って同じ深さに設定してもよいが、凹所の前面を構成する前板の全体を後ろ倒れに傾斜させるか、又は、前板の下部を後ろ倒れに傾斜させて、傾斜した部分にボス体を一体化すると、ボス体の上端と前板との間に間隔が空くため、バッフルプレートは余裕を持たせた状態でボス体に載せて固定できる。
【００１３】
本願発明は、請求項２の構成も含んでいる。この請求項２の発明は、請求項１において、
「前記側壁に、クランク軸心方向に長い段状又はリブ状の補強が、その後端が前記ボス体と連続する状態で形成されている」
という構成になっている。
【発明の効果】
【００１４】
本願発明では、後ろ壁の凹所を構成する前板と底部の浅底部とがボス体を介して繋がっているため、底部と後ろ壁との一体性が高まって、オイルパンの剛性を大きく向上できる。換言すると、バッフルプレートを固定するためのボス体を利用して、オイルパンの強度を大きく向上できる。
【００１５】
そして、バッフルプレートを固定するために必要なボス体をいわば補強リブとして利用するものであるため、全体の重量が増大するようなことはないし、製造に当たっての問題も発生しない。
【００１６】
さて、ミッションケースは片持ち梁の状態でシリンダブロック及びオイルパンの後面に固定されているため、ミッションケースの重量は、オイルパンには、これを上向きに押しに曲げるような外力として作用する。また、ピストンの動きも、シリンダブロック及びオイルパンを上下方向に曲げるような外力として作用する。
【００１７】
そして、横置き前排気方式の内燃機関のオイルパンは抉り部が存在するため、特に上下方向（正確にはシリンダボア軸線方向）の外力に対する剛性が低くなるが、請求項２のように、左右側壁に段状やリブ状の補強部を形成すると、上下方向の曲げや捩じりに対する剛性が格段に向上する。
【００１８】
しかも、段状又はリブ状の補強部とボス体とが繋がっているため、側壁と後ろ壁との一体性が格段に向上して、オイルパン全体の剛性も大きく向上できる。その結果、パワープラントの剛性向上を更に助長できる。
【図面の簡単な説明】
【００１９】
【図１】実施形態の平面図である。
【図２】背面図（後面図）である。
【図３】図１，２のIII-III 視断面図である。
【図４】図１の IV-IV視断面図である。
【発明を実施するための形態】
【００２０】
次に、本願発明の実施形態を図面に基づいて説明する。本願では、方向を特定するため前後・左右のも文言を使用しているが、前後方向はクランク軸心方向であり、左右方向はクランク軸心及びシリンダボア軸心と直交した方向である。前と後ろについては、タイミングチェーンが配置される側を前、ミッションケースが配置される側を後ろとしている。図１等に方向を明示している。
【００２１】
(1).基本構造
本実施形態が適用されている内燃機関は３気筒であり、図３に示すように、オイルパン１は、クランク軸心Ｏ（図２も参照）の方向に長くて上面にシリンダブロック２が固定される左右の側壁３と、タイミングチェーン（図示せず）を覆うフロントカバー４が固定される前壁５と、ミッションケース６が固定される後ろ壁７と、これらに前後壁５，７と側壁３とに連続した底部８とを有している。なお、クランク軸心Ｏは、オイルパン１の上面よりも少し上に位置している。
【００２２】
図１において、側壁３の上端面の範囲を平行斜線で示している。側壁３の上面には、シリンダブロック２を固定するためのアッパタップ穴９が周方向に沿って形成されている。
【００２３】
底部８の後部には、排気管１０が通る抉り部１１を形成している。このため、底部８は、深さが低い浅底部８ａと、その手前に位置して深さが深くなった深底部８ｂと、両者を繋ぐ段壁８ｃとで構成されている。敢えて述べるまでもないが、ストレーナは深底部８ｂに配置される。図１，３から理解できるように、前壁５には、フロントクランクキャップ（図示せず）を逃がす前凹所１２が上向きに開口している。
【００２４】
図２，３に示すように、後ろ壁７に、ミッションケース６密着するリア重合面１３が形成されており、リア重合面１３に、ミッションケース６を固定するための複数のリアタップ穴１４が形成されている。また、後ろ壁７には、クランク軸の軸受を逃がす溝穴１５が、クランク軸心Ｏと同心の状態で上向きに開口している。
【００２５】
(2).後ろ壁・補強部
図２，３に示すように、後ろ壁７には、後ろ向きに開口した凹所１８が左右両側に広がるように形成されており、凹所１８には、クランク軸心Ｏの略放射方向に延びる複数本のリブ１９が形成されている。そして、凹所１８の前面を構成する前板２０のうち略上半部はリア重合面１３と平行な鉛直部２０ａになって、それよりも下方の部位は、下に行くに従って前にずれた（後傾した）傾斜部２０ｂになっている。図１では、傾斜部２０ｂを網掛けで表示している。
【００２６】
そして、浅底部８ａの後端部に、バッフルプレート２１をボルトで固定するための左右一対のリアボス体２２が、凹所１８における前板２０の傾斜部２０ｂと一体化した状態に形成されている。
【００２７】
他方、左右側壁３には、上段正面視でクランク状に曲がった段状補強部２３が全長に亙って形成されている。図１では、段状補強部２３の範囲を平行斜線で表示している。側壁３は浅底部８ａの箇所では内側に大きく寄っているため、段状補強部２３も浅底部８ａの箇所では内側に寄っており、その後端はリアボス体２２に繋がっている。
【００２８】
図４から理解できるように、段状補強部２３は、底部８の浅底部８ａよりもやや高い位置に形成されている。また、図１に示すように、段状補強部２３の前端には、前壁５の内面に回り込む前延長部２３ａが形成されている。図１，３のとおり、段状補強部２３には、前壁５の内面に回り込んだ前延長部２３ａが形成されている。図３に示すように、段状補強部２３は、フロントカバー４の下端部と略同じ高さになって、ミッションケース６の下端よりはかなり高い高さになっている。
【００２９】
図１に示すように、オイルパン１の内周部には、リアボス体２２と共同してバッフルプレート２１を載置し固定するために、フロントボス体２４とサイドボス体２５とセンターボス体２６が形成されている。フロントボス体２４とサイドボス体２５とは、段状補強部２３と一体化している。
【００３０】
また、図１（図３も参照）に示すように、底部８の浅底部８ａには左右の補強リブ２７が前後方向に延びるように形成されており、両補強リブ２７は、底部８の段壁８ｃを経由して深底部８ｂに至っている。左右中間部に位置した補強リブ２７は、前板２０の傾斜部２０ｂと繋がっていると共に、センターボス体２６が立ち上がっている。排気側に位置した補強リブ２７は、段状補強部２３と一体化している。
【００３１】
オイルパン１は、例えば図３を基準にすると、上下方向（シリンダボア軸線方向）に密着・離反する基本金型を使用して、ダイキャストによって製造できるが、凹所１８は、外型にスライド型２８を装着することにより、容易に成型できる。ボス体２２，２４〜２６にはタップ穴の下穴や軽量化等のための逃がし穴が空いているが、これらの穴は、基本金型に設けたピンを使用して形成できる。
【００３２】
(3).まとめ
ミッションケース６は片持ち梁の状態でシリンダブロック２及びオイルパン１に固定されているため、オイルパン１には、下向きに曲げるような外力が作用する。特に、後ろ壁７と側壁３及び浅底部８ａとの連接部に大きな応力が作用する（後ろ壁７を手前に押すような外力が作用する。）。
【００３３】
しかるに、本実施形態では、底部８の浅底部８ａから立ち上がった左右のリアボス体２２が凹所１８の前板２０と一体化しているため、リアボス体２２が補強リブの役割を果たして、後ろ壁７と浅底部８ａと側壁３との一体性が格段に向上する。このため、オイルパン１の剛性（下向きに押し曲げようとする外力に対する剛性や、クランク軸心Ｏ回りの捩じりに対する剛性）を向上できる。
【００３４】
他方、側壁３は、段状補強部２３を挟んで上側の部分が下側の部分よりも左右外側に位置するように、クランク状に曲がっているため、上下方向の外力に曲げるような外力や左右方向に曲げるような外力、或いは、クランク軸心Ｏの方向の軸心回りに捩じるような外力に対して、高い抵抗を発揮する。
【００３５】
しかも、本実施形態では、左右段状補強部２３の後端がそれぞれリアボス体２２と一体化しているため、段状補強部２３で補強された側壁３とリアボス体２２で補強された後ろ壁７及び浅底部８ａとの一体性が大きくなって、全体として非常に高い剛性を発揮する。その結果、オイルパン１に抉り部１１が形成されていても、シリンダブロック２とミッションケース６とオイルパン１とからなるパワープラントは、高い剛性を保持することができる。
【００３６】
本実施形態では、段状補強部２３に前延長部２３ａを形成しているため、捩じりに対する剛性も大幅にアップしているが、前延長部２３ａとフロントボス体２４とが一体化していると共に、サイドボス体２５と排気側の段状補強部２３とが一体化しているため、更に、オイルパン１の剛性を向上できる。しかも、段状補強部２３は、オイルパン１の周壁の形状を変更することで形成されており、加工コストが嵩んだり重量が増大したりすることはないため、コストアップや燃費悪化は生じない。
【００３７】
本実施形態のように、凹所１８の前板２０の下部を傾斜部２０ｂに形成すると、後ろ壁７に対して下向き荷重として作用したミッションケース６の重量（下向きモーメント）が、図３に符号３０の黒抜き矢印で示すように、傾斜部２０ｂに対しては、当該傾斜部２０ｂを下向きに圧縮させるような力として作用するため、更に、オイルパン１の剛性を向上できる。
【００３８】
また、前板２０の傾斜部２０ｂとリアボス体２２とを一体化すると、リアボス体２２の上端と前板２０との間に隙間２９ができるため、バッフルプレート２１の縁に余裕を取ることができてバッフルプレート２１の支持強度を向上できる。また、隙間２９からオイルを落とすこともできる。
【００３９】
以上、本願発明の実施形態を説明したが、本願発明は他にも様々に具体化できる。例えば、実施形態では、補強部としてクランク状に曲がった段状補強部２３を採用したが、補強部としては、内向き又は外向き若しくは内外両方に突出したリブを採用することも可能である。但し、実施形態のように内側にずれた段状補強部２３を採用すると、オイルパン１がダイキャスト品であっても、容易に製造できる利点がある。
【産業上の利用可能性】
【００４０】
本願発明は、自動車用内燃機関のオイルパンに具体化できる。従って、産業上利用できる。
【符号の説明】
【００４１】
Ｏ  クランク軸心
１  オイルパン
２  シリンダブロック
３  側壁
４  フロントカバー
５  前壁
６  ミッションケース
７  後ろ壁
８  底部
８ａ  浅底部
８ｂ  深底部
１０  排気管
１１  抉り部
１８  凹所
２１  バッフルプレート
２２  リアボス体
２３  段状補強部
【図１】
2020153264.tif 000003
【図２】
2020153264.tif 000004
【図３】
2020153264.tif 000005
【図４】
2020153264.tif 000006